(57)【要約】      （修正有）【課題】上蓋を確実に封止すると共に開封時には簡単に開放できる新規な梱包箱の提供。【解決手段】上蓋３０の第２フラップ３０ｃに第１フラップ３０ａの係止片４０を差し込んで係止するスリット状の差込口５０を形成し、その差込口５０の両端にそれぞれミシン目状の切込線を形成する。これによって、その差込口５０の縁を掴んで持ち上げればその部分が切込線に沿って起立させるように裂けて差込口５０がその幅方向に大きく拡大するため、それに係止している係止片４０を簡単に外してその上蓋３０を開放できる。【選択図】図２
0003212412.tif 000002
【実用新案登録請求の範囲】
【請求項１】
互いに対向するように位置する第１フラップと第２フラップとを有する上蓋を備えた梱包箱であって、
前記第１フラップの先端に係止片を形成すると共に、前記第２フラップに前記係止片を差し込んで係止するスリット状の差込口を形成し、
前記差込口の両端にそれぞれ切込線を、前記差込口の長手方向と略直交する方向に形成したことを特徴とする梱包箱。
【請求項２】
請求項１に記載の梱包箱において、
前記第２フラップの差込口に、指掛け用の切欠き穴を形成したことを特徴とする梱包箱。
【請求項３】
請求項１または２に記載の梱包箱において、
前記第１フラップの係止片近傍に、指掛け用の切欠き穴を形成したことを特徴とする梱包箱。
【請求項４】
請求項１乃至３のいずれかに記載の梱包箱において、
前記第１フラップおよび第２フラップを含む全体が段ボール板で構成されていることを特徴とする梱包箱。
【考案の詳細な説明】
【技術分野】
【０００１】
本考案は、宅配便や郵便小包などで商品輸送する際に用いられる梱包箱に関する。
【背景技術】
【０００２】
一般に、インターネットのショッピングサイトなどで商品を購入した場合、その多くは段ボール箱などの梱包箱に梱包された状態で宅配業者などによって自宅や指定の場所に配達される。このような通信販売では販売者（発送者）は搬送時に商品が箱から飛び出したり破損したりしないようにクッション材を入れたり粘着テープを用いて蓋を塞ぐなどしてしっかりと梱包して発送している。
【０００３】
しかし、発送側にとっては取り扱う商品の数が多くなると箱の組み立て作業や粘着テープを用いた蓋の封止作業などが増えるため、負担が大きくなる。また、その商品の受取側もその厳重な梱包を解除する作業が大変になる上に、解除後は粘着テープなどの廃棄物が発生するため、その処分が面倒である。
【０００４】
そのため、例えば以下の特許文献１では、予め側板や底板を構成するフラップを折り畳んでその一部を接着剤で貼り合わせ、これを立体的に変形させるだけで自動的に底板が組み立てられるようにした段ボール箱が提案されている。さらにこの段ボール箱は、上蓋を構成するフラップの一方に係止片が形成されていると共にこれと対向する他方のフラップにスリットが形成されている。そして、このスリットにその係止片を差し込むことにより上蓋の係止が簡単に行えるため、その上に粘着式の送り状などを貼り付ければ粘着テープなどによる上蓋の封止作業を省略することも可能となっている。
【先行技術文献】
【特許文献】
【０００５】
【特許文献１】登録実用新案第３０１４０３２号公報
【考案の概要】
【考案が解決しようとする課題】
【０００６】
ところで、前記特許文献１に示すような梱包箱では、梱包後は係止片が完全にスリット内に差し込まれてその全体が隠れた状態となっていると共に、その係止片の両側から突出する舌片がスリットの両端に引っかかることで簡単に外れない構造となっている。そのため、輸送中の揺れや落下の衝撃が加わっても上蓋が勝手に開くことはないが、受取人がその箱の中身を取り出すときにはしっかりと係止しているその係止片をそのスリットから強引に引き抜かなくてはならないため、その開封作業は容易ではない。
【０００７】
そこで、本考案の目的はこれらの課題を解決するために案出されたものであり、その目的は、上蓋を確実に封止すると共に開封時には簡単に開放できる新規な梱包箱を提供することにある。
【課題を解決するための手段】
【０００８】
前記課題を解決するために第１の考案は、互いに対向するように位置する第１フラップと第２フラップとを有する上蓋を備えた梱包箱であって、前記第１フラップの先端に係止片を形成すると共に、前記第２フラップに前記係止片を差し込んで係止するスリット状の差込口を形成し、前記差込口の両端にそれぞれ切込線を、前記差込口の長手方向と略直交する方向に形成したことを特徴とする梱包箱である。
【０００９】
このような構成によれば、第１フラップの係止片が係止しているスリット状の差込口の縁を掴んで持ち上げるとその部分が切込線に沿って起立させるように裂けて差込口がその幅方向に大きく拡大する。これにより、その差込口に係止している係止片を簡単に外すことができるため、その上蓋を容易に開放できる。
【００１０】
第２の考案は、第１の考案において、前記第２フラップの差込口に、指掛け用の切欠き穴を形成したことを特徴とする梱包箱である。このような構成によれば、この指掛け用の切欠き穴に指を引っ掛けて持ち上げるだけで簡単に差込口の幅を広げることができる。
【００１１】
第３の考案は、第１または第２の考案において、前記第１フラップの係止片近傍に、指掛け用の切欠き穴を形成したことを特徴とする梱包箱である。このような構成によれば、その第１フラップ側の指掛け用の切欠き穴に指を引っ掛けて引っ張るだけでその係止片をスリットから抜き出すことができる。
【００１２】
第４の考案は、第１乃至第３の考案において、前記第１フラップおよび第２フラップを含む全体が段ボール板で構成されていることを特徴とする梱包箱である。このような構成によれば、全体の軽量化と共に梱包箱として十分な強度を発揮できる。
【考案の効果】
【００１３】
本考案によれば、係止片を係止するスリット状の差込口両端にそれぞれミシン目状の切込線を形成したため、その係止片を係止しているスリット状の差込口の縁を掴んで持ち上げれば、その部分がミシン目状の切欠線から裂けて起立することにより差込口がその幅方向に大きく広がる。これにより、その差込口に係止している係止片を簡単に外すことができるため、その上蓋を容易に開くことができる。
【図面の簡単な説明】
【００１４】
【図１】本考案に係る梱包箱１００の実施の一形態を示す展開図である。
【図２】本考案に係る梱包箱１００の実施の一形態を示す斜視図である。
【図３】係止片４０の構造を示す平面図である。
【図４】差込口５０の構造を示す平面図である。
【図５】本考案に係る梱包箱１００の実施の一形態を示す斜視図である。
【図６】本考案に係る梱包箱１００の実施の一形態を示す斜視図である。
【図７】本考案に係る梱包箱１００の実施の一形態を示す斜視図である。
【図８】差込口５０に係止片４０を差し込む状態を示す説明図である。
【図９】本考案に係る梱包箱１００の実施の一形態を示す斜視図である。
【図１０】本考案に係る梱包箱１００の実施の一形態を示す斜視図である。
【図１１】本考案に係る梱包箱１００の実施の一形態を示す斜視図である。
【考案を実施するための形態】
【００１５】
以下、本考案の実施の形態を添付図面を参照しながら説明する。図１は本考案に係る梱包箱１００の展開図、図２はその斜視図である。先ず図２に示すようにこの梱包箱１００は矩形枠状の箱本体１０と、この箱本体１０の下部開口部を塞ぐ底板２０と、この箱本体１０の上部開口部を塞ぐ上蓋３０とから構成されており、これらは図１に示すように１枚の段ボール板Ｂから構成されている。
【００１６】
箱本体１０は、横長矩形状をした４枚の側板１０ａ、１０ｂ、１０ｃ、１０ｄから形成されている。これらのうち相対向する側板１０ａと側板１０ｃおよび側板１０ｂと側板１０ｄは、互いに同じ形状および大きさとなっており、これらは山折り線１０ｆ、１０ｇ、１０ｈを介して横方向に連設されている。さらに側板１０ａの縦辺には、糊代１０ｅが山折り線１０ｉを介して連設されており、図２に示すようにこの糊代１０ｅが側板１０ｄ端の内側に接着されることで矩形枠状に組み立てられる。
【００１７】
また、底板２０は、図１に示すようにこれら４枚の側板１０ａ、１０ｂ、１０ｃ、１０ｄの底辺にそれぞれ連設された４枚の底板部材２０ａ、２０ｂ、２０ｃ、２０ｄからなっており、これらはそれぞれ山折り線２０ｅ、２０ｆ、２０ｇ、２０ｈでその内側に山折りされるようになっている。
【００１８】
このうち底板部材２０ａ，２０ｃはほぼ同一形状なっており、その両端縁は底辺側に向かってやや幅狭となるように傾斜している。そして、これら各底板部材２０ａ，２０ｃの両端縁の一方にはそれぞれほぼ３角形状の糊代２０ｉ、２０ｊ（図１の斜線で示す部分の裏側）が谷折り線２０ｋ、２０ｍを介して形成されており、この糊代２０ｉ、２０ｊの裏面側がそれぞれ隣接する底板部材２０ｂ、２０ｄの表面に重なって接着されるようになっている。
【００１９】
また、この底板部材２０ａ，２０ｃの底辺中央には、ほぼ山形の切り込み２０ｎ、２０ｐが形成されており、これら切り込み２０ｎ、２０ｐの頂部にそれぞれ形成された直線部２０ｑ、２０ｒ同士が底板部材２０ａ，２０ｃを組み立てた際に互に係合することで底板２０を平板形状に維持すべく機能するようになっている。
【００２０】
一方、底板部材２０ｂ、２０ｄは、一方の端縁は緩い角度で、そして他方の端縁は急な角度で傾斜されており、緩い角度の傾斜辺と底辺の接合部は小Ｒに形成されている。なお、図１中の破断部Ｃは、箱本体１０を形成する段ボール板Ｂの目方向を示しており、箱本体１０を中段とした縦（上下）方向に延びている。
【００２１】
次に、上蓋３０は、図１に示すように４枚の側板１０ａ、１０ｂ、１０ｃ、１０ｄの上辺にそれぞれ連設された４枚のフラップ３０ａ、３０ｂ、３０ｃ、３０ｄからなっており、これらはそれぞれ山折り線３０ｅ、３０ｆ、３０ｇ、３０ｈでその内側に山折りされるようになっている。すなわち、側板１０ａの上部には山折り線３０ｅを介して第１フラップ３０ａが、側板１０ｂの上部には山折り線３０ｆを介して第３フラップ３０ｂが、側板１０ｃの上部には山折り線３０ｇを介して第２フラップ３０ｃが、側板１０ｄの上部には山折り線３０ｈを介して第４フラップ３０ｄがそれぞれ連接されている。
【００２２】
この４枚のフラップ３０ａ、３０ｂ、３０ｃ、３０ｄのうち、図１に示すように横方向に対向する第３フラップ３０ｂおよび第４フラップ３０ｄは，その形状及び大きさが互いに同じ矩形状になっているが、縦方向に対向する第１フラップ３０ａおよび第２フラップ３０ｃはやや異なる形状となっている。すなわち、第１フラップ３０ａおよび第２フラップ３０ｃともそれぞれ同じ幅の矩形状になっているが、その縦方向の長さは第１フラップ３０ａよりも第２フラップ３０ｃの方が長くなっている。具体的には、図１に示すように第１フラップ３０ａの長さＬ１は、小さい方の側板１０ｂ、１０ｄの幅Ｗの約半分となっているのに対し、第２フラップ３０ｃの長さＬ２は、側板１０ｂ、１０ｄの幅Ｗの約２／３となっており、第１フラップ３０ａよりも長く（大きく）なっている。
【００２３】
また、第１フラップ３０ａの先端中央部には係止片４０が山折り線４０ａを介して連接されている。この係止片４０は図３に示すように第１フラップ３０ａの幅方向と平行な短冊状に形成されており、その先端中央部は略三角形状の切り欠け４０ｈが形成されている。また、この係止片４０の両端には２〜３ｍｍ程度の間隔Ｓを介して三角形状の舌片４０ｃ、４０ｃがそれぞれ連接されている。また、この係止片４０と第１フラップ３０ａとの境界に位置する山折り線４０ａ上には、幅が２〜３ｍｍ程度のスリット４０ｄが形成されており、さらにこのスリット４０ｄの略中央には半円形をした指掛け用の切欠き穴４０ｅが形成されている。
【００２４】
この第１フラップ３０ａと対向する第２フラップ３０ｃには、前述した係止片４０を差し込むためのスリット状の差込口５０が形成されている。この差込口５０は、図４に示すようにその中央部のスリット５０ａの幅Ｓ１は、係止片４０の板厚とほぼ同じ幅、例えば２〜３ｍｍ程度になっているのに対し、その両端の幅広のスリット５０ｂ、５０ｂの幅Ｓ２はその中央部スリット５０ａよりも幅広、例えば５〜１０ｍｍ程度となっている。また、この差込口５０の長さＬ３は、図３に示す係止片４０の幅Ｌ４と略同じか１〜２ｍｍ程度大きくなっている。
【００２５】
また、この差込口５０の両側には、これより直線状に延長するように線状の切れ目５０ｃ、５０ｃが形成されており、その長さＬ５は図３に示す係止片４０の両側の舌片４０ｃの長さＬ６とほぼ同じか１〜２ｍｍ程度大きくなっている。さらに図４に示すようにこの切れ目５０ｃ、５０ｃの端部には、ミシン目状の切込線５０ｄ、５０ｄが形成されている。この切込線５０ｄ、５０ｄはそれぞれ切れ目５０ｃ、５０ｃを始点としてこれと直交するように同じ方向、すなわち第１フラップ３０ａの側板１０ｃ側に延びており、その長さは約３０ｍｍ前後となっている。さらに、この中央部のスリット５０ａの略中央にも半円形をした指掛け用の切欠き穴５０ｅが形成されている。
【００２６】
次に、このような構成をした本考案の梱包箱１００の組み立て手順を説明する。図１に示すような展開形状に裁断された段ボール板Ｂから箱本体１０を組み立てるに当たっては、まず側板１０ａに連設された糊代１０ｅを山折り線１０ｉで山折りして側板１０ｄの縦辺の内側に沿って接着しておくと共に、底板部材２０ａの糊代２０ｉを隣接する底板部材２０ｂに、底板部材２０ｃの糊代２０ｊを隣接する底板部材２０ｄにそれぞれ接着しておく。
【００２７】
これによって側板１０ａ、１０ｂ、１０ｃ、１０ｄは上下面が開口した枠状に形成されると共に、底板部材２０ａ、２０ｃは、谷折り線２０ｋ、２０ｍで折り曲げられて枠内に収容された状態となり、この状態で枠を平坦に折り畳むことにより箱本体１０が平板状となるので、多数の段ボール板Ｂを保管したり輸送する際に嵩ばることがなく、保管や輸送に便利である。そして、通常は工場でこの段階まで製造し、その底板２０を折り畳んだ状態で商品の発送者などに出荷される。
【００２８】
次に、この箱本体１０内に商品を収容して発送する場合は、折り畳んだ状態の箱本体１０が枠状となるように各山折り線１０ｆ、１０ｇ、１０ｈ、１０ｉをそれぞれ９０°山折りして立体的に変形する。これに伴って予め接着されている底板２０が箱本体１０の底面開口部を塞ぐように折り起され、また、このとき底板部材２０ａ、２０ｃに形成された切り込み２０ｎ、２０ｐの直線部２０ｑ、２０ｒが互いに係合して平板状の底板２０が形成される（図２）。これによって、底板２０の強度が高まり、箱本体１０内に収容した商品の重量が底板２０にかかっても、底が抜けることがない。
【００２９】
次に、図２に示す状態でその上部開口部から箱本体１０内に商品（図示せず）を収容したならば、図５に示すように上蓋３０を構成する第３フラップ３０ｂおよび第４フラップ３０ｄをそれぞれその山折り線３０ｆ、３０ｈから内側に折り曲げて箱本体１０の上面開口部を塞ぐ。続けて図６に示すように上蓋３０を構成する第２フラップ３０ｃをその山折り線３０ｇから内側に折り曲げた後、図７に示すようにその上に重ねるように第１フラップ３０ａをその山折り線３０ｅから内側に折り曲げる。
【００３０】
これによって、箱本体１０の上部開口部が４つのフラップ３０ａ、３０ｂ、３０ｃ、３０ｄで塞がれることになるが、最後の第１フラップ３０ａで塞ぐ際には、図７に示すようにその先端の係止片４０をその山折り線４０ａ部分でさらに内側に曲げ、その先端から第２フラップ３０ｃ側の差込口５０に差し込むようにしながら折り曲げる。具体的には、図８に示すように係止片４０の先端の両側は、先端中央部の略三角形状の切り欠け４０ｈによりやや突出した状態となっているため、この突出部４０ｆ、４０ｆをまず差込口５０両端の幅広スリット５０ｂ、５０ｂに差し込む。
【００３１】
すると、この幅広スリット５０ｂ、５０ｂに差し込まれた突出部４０ｆ、４０ｆがガイドとなって係止片４０全体が中央部のスリット５０ａからスムーズに差し込まれる。さらに、係止片４０両端の舌片４０ｃ、４０ｃも同時に差込口５０両側の線状の切れ目５０ｃ、５０ｃを通過してその内部に差し込まれる。そして、図９に示すようにその係止片４０全体が差込口５０に差し込まれることによって上蓋３０がフラットになって箱本体１０の上部開口部が完全に塞がれると共に、この差込口５０に係止することによって勝手に開くようなことがない。
【００３２】
すなわち、係止片４０を差込口５０に完全に差し込んだ後、その手を離すと第１フラップ３０ａおよび第２フラップ３０ｃがその復元力によって元に戻ろうと作用して係止片４０が差込口５０から抜け出そうとするが、この差込口５０に差し込まれた係止片４０両端の舌片４０ｃ、４０ｃが差込口５０両端の下部に潜り込んでその位置に引っかかる（係止する）ため、手を離しても第１フラップ３０ａおよび第２フラップ３０ｃの動きが規制されるため、勝手に開くようなことはない。
【００３３】
そして、このようにして箱本体１０を上蓋３０で塞いだならば、図１０に示すようにその裏面全体に接着糊が塗られた送り状Ｐをその上に貼り付ければ、完全に塞がれた状態になるため、このまま宅配業者などに発送を依頼することができる。そして輸送中においてはその上蓋３０は、この送り状Ｐと、前述した係止片４０と差込口５０とによる係止機構により２重に係止された状態となるため、振動や衝撃が加わっても勝手に開いてしまうようなことはない。
【００３４】
一方、これを受け取った受取人は、その上蓋３０を閉じている送り状Ｐを剥がし取った後、差込口５０側の指掛用の切欠き穴５０ｅに指を引っ掛けてその部分を一気に持ち上げる。すると、図１１に示すようにその差込口５０がそのミシン目状の切込線５０ｄ、５０ｄから側板１０ｃ側に起立するように裂ける。これによって差込口５０が大きく広がることになるため、これに係止している係止片４０をそのまま持ち上げれば簡単に抜き出すことができる。また、これと同時またはその後に係止片４０側の指掛用の切欠き穴４０ｅに指を引っ掛けてその部分を持ち上げれば、より簡単に係止片４０を抜き出して上蓋３０を開放することができる。
【００３５】
このように本考案に係る梱包箱１００は、係止片４０を係止するスリット状の差込口５０両端にそれぞれミシン目状の切込線５０ｄ、５０ｄを形成したため、その差込口５０の指掛用の切欠き穴５０ｅを掴んで持ち上げれば、その部分がミシン目状の切込線５０ｄ、５０ｄから裂けて起立するように変形することでその差込口５０を大きく広げることができる。これによって、その差込口５０に係止している係止片４０を簡単に外すことができるため、その上蓋３０をすぐに開放することができる。
【００３６】
また、本実施の形態では、箱本体１０や上蓋３０などを構成する材料として段ボール板Ｂを用いた例でしたが、これ以外に他の材料、例えば厚紙やプラスチックの板などを用いた場合も同様の作用・効果を発揮できる。
【符号の説明】
【００３７】
１００…梱包箱
１０…箱本体
１０ａ〜１０ｄ…側板
２０…底板
３０…上蓋
３０ａ…第１フラップ
３０ｃ…第２フラップ
４０…係止片
４０ｃ…舌片
４０ｅ…切欠き穴
５０…差込口
５０ｄ…切込線
５０ｅ…切欠き穴
Ｂ…段ボール板
Ｐ…送り状
【図１】
0003212412.tif 000003
【図２】
0003212412.tif 000004
【図３】
0003212412.tif 000005
【図４】
0003212412.tif 000006
【図５】
0003212412.tif 000007
【図６】
0003212412.tif 000008
【図７】
0003212412.tif 000009
【図８】
0003212412.tif 000010
【図９】
0003212412.tif 000011
【図１０】
0003212412.tif 000012
【図１１】
0003212412.tif 000013